(57)【要約】【課題】扉部材を介しての不正行為を低減できる遊技機を提供する。【解決手段】内枠に対して開閉自在な前面枠セット１４は、不透明な裏面枠体４３０と前面枠体４１０と窓部１０１およびガラスユニット４８０とを備え、前面枠体４１０と裏面枠体４３０との間に補強用の板金４４０ｃを挟んで構成されているので、前面枠セット１４における補強用の板金４４０ｃの配置箇所をわからないようにでき、板金４４０ｃを避けた位置に不正な孔を空けることを困難とすることができ、前面枠セット１４を介しての不正行為を低減でき、補強用の板金４４０ｃの折り曲げ部４４２をベース枠４３２の細隙部４３９に挿入した状態で板金４４０ｃが前面枠体４１０と裏面枠体４３０との間に挟み込まれているので、丈夫な補強構造を維持しつつ、折り曲げ部４４２を細隙部４３９に挿入した仮止め状態とすることができ、板金４４０ｃの取り付け作業性を向上できる。【選択図】図９
2018086399.tif 000002
【特許請求の範囲】
【請求項１】
遊技球が打ち込まれる遊技領域を備えた本体部材と、
前記遊技領域の所定箇所が視認可能な視認用開口部を有し、前記本体部材に対して開閉可能な扉部材と、
正面視で前記遊技領域を覆う大きさの透明部材と、前記透明部材が固着される内装用開口部を有する枠状のフレームとを備えた、前記視認用開口部を塞ぐ状態に配設されるユニット部材と、
を備え、
前記扉部材は、その裏面側における前記視認用開口部の外周箇所に形成された窪み部を有し、
前記窪み部は、前記フレームが取り付けられた状態において、前記視認用開口部の上側と下側にて前記フレームの外周箇所に対応する内周壁部と、前記フレームの当該窪み部側箇所が当接する奥面と、を備え、
前記窪み部は、前記内周壁部と前記奥面とで形成される前記ユニット部材との重なり代を、前記視認用開口部が右方向に最も張り出した部分から下側に向かうに従い大きくなるような形状としているとともに、前記重なり代を、前記視認用開口部が左方向に最も張り出した部分から下側に向けて延伸させており、前記視認用開口部の左に位置する重なり代は、前記視認用開口部の下部において前記視認用開口部の右に位置する重なり代と連接した形状となっている
ことを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機は、例えば、当該パチンコ機の外殻を形成し遊技場（ホール）の遊技島に固定される外枠と、この外枠の正面視での左端側を開閉軸として外枠に対して開閉可能に支持される内枠と、この内枠の開口に遊技領域が位置するように取り付けられる遊技盤と、この内枠の正面視での左端側を開閉軸として内枠に対して開閉可能に支持され、遊技領域に対応した視認窓を有する前面扉（扉部材）とを備えている。この前面扉を内枠に対して開状態とすることで、遊技盤の遊技領域にアクセスできる。
【先行技術文献】
【特許文献】
【０００３】
特開２００２−８６８号公報（第２−４頁，第２−３図）
【発明の概要】
【発明が解決しようとする課題】
【０００４】
しかしながら、このような構成を有する従来例の場合には、次のような問題がある。
【０００５】
すなわち、従来のパチンコ機では、例えば扉部材を介しての不正行為が行われることがあるという問題がある。
【０００６】
本発明は、このような事情に鑑みてなされたものであって、扉部材を介しての不正行為を低減できる遊技機を提供することを目的とする。
【課題を解決するための手段】
【０００７】
この発明は、このような目的を達成するために、次のような構成をとる。
【０００８】
すなわち、請求項１に記載の発明は、
遊技球が打ち込まれる遊技領域を備えた本体部材と、
前記遊技領域の所定箇所が視認可能な視認用開口部を有し、前記本体部材に対して開閉可能な扉部材と、
正面視で前記遊技領域を覆う大きさの透明部材と、前記透明部材が固着される内装用開口部を有する枠状のフレームとを備えた、前記視認用開口部を塞ぐ状態に配設されるユニット部材と、
を備え、
前記扉部材は、その裏面側における前記視認用開口部の外周箇所に形成された窪み部を有し、
前記窪み部は、前記フレームが取り付けられた状態において、前記視認用開口部の上側と下側にて前記フレームの外周箇所に対応する内周壁部と、前記フレームの当該窪み部側箇所が当接する奥面と、を備え、
前記窪み部は、前記内周壁部と前記奥面とで形成される前記ユニット部材との重なり代を、前記視認用開口部が右方向に最も張り出した部分から下側に向かうに従い大きくなるような形状としているとともに、前記重なり代を、前記視認用開口部が左方向に最も張り出した部分から下側に向けて延伸させており、前記視認用開口部の左に位置する重なり代は、前記視認用開口部の下部において前記視認用開口部の右に位置する重なり代と連接した形状となっている
ことを特徴とするものである。
【発明の効果】
【０００９】
この発明に係る遊技機によれば、扉部材を介しての不正行為を低減できる。
【図面の簡単な説明】
【００１０】
【図１】本発明の実施例のパチンコ機の概略正面図である。
【図２】遊技盤の構成を示す正面図である。
【図３】パチンコ機の構成を示す背面図である。
【図４】パチンコ機の電気的構成を示すブロック図である。
【図５】第３図柄表示装置の表示内容を示す説明図である。
【図６】実施例１の前面枠セットの正面図である。
【図７】実施例１の前面枠セット１４の裏面図である。
【図８】ガラスユニットが取り外された状態での前面枠セットの裏面図である。
【図９】前面枠セットの分解斜視図である。
【図１０】裏面枠体の正面図である。
【図１１】裏面枠体を正面側の右上から見た斜視図である。
【図１２】裏面枠体からサブベースを取り外した状態を示す分解斜視図である。
【図１３】裏面枠体を裏面側の左上から見た斜視図である。
【図１４】裏面枠体を裏面側の右上から見た斜視図である。
【図１５】ベース枠を正面側の右上から見た斜視図である。
【図１６】図１５のベース枠から支持部を取り外した状態を示す分解斜視図である。
【図１７】図１６の支持部取り外し後のベース枠を正面側の右上から見た斜視図である。
【図１８】図１７のベース枠から板金を取り外した状態を示す分解斜視図である。
【図１９】板金の斜視図である。
【図２０】ベース枠の細隙部と板金の折り曲げ部を示す図である。
【図２１】裏面枠体を裏面側の左上から見た通路部材の分解斜視図である。
【図２２】裏面枠体を裏面側の右上から見た通路部材の分解斜視図である。
【図２３】通路部材を左上から見た分解斜視図である。
【図２４】裏面枠体を裏面側の右上から見た通路部材の分解斜視図である。
【図２５】ベース枠での通路部材を示す一部破断斜視図である。
【発明を実施するための形態】
【００１１】
本明細書は、次のような遊技機に係る発明も開示している。
なお、本明細書でいう「補強部材による補強」とは、前面側部材およびベース部材の性質を補うという意味を含む。例えば、前面側部材およびベース部材が樹脂成形品であれば、高温となる発熱工具（例えば、はんだごてなど）が押し当てられるなどするとその箇所が溶けてしまうことから、熱に対して弱い性質であるとの見方ができる。そこで、補強部材として熱に強い金属品（金属板、金属線のメッシュ構造品など）を採用することで、前面側部材およびベース部材を耐熱性に関して補強することができる。なお、このような耐熱性補強とともに、扉部材（つまり前面側部材やベース部材）が曲げ力や引っ張り力などで変形することや自重変形を低減するという剛性（力に対する頑丈さ）を補う要素をあわせ持ったものであってもよい。
【００１２】
従来、遊技機の代表例として例えばパチンコ機がある。このパチンコ機は、例えば、当該パチンコ機の外殻を形成し遊技場（ホール）の遊技島に固定される外枠と、この外枠の正面視での左端側を開閉軸として外枠に対して開閉可能に支持される内枠と、この内枠の開口に遊技領域が位置するように取り付けられる遊技盤と、この内枠の正面視での左端側を開閉軸として内枠に対して開閉可能に支持され、遊技領域に対応した視認窓を有する前面扉（扉部材）とを備えている。この前面扉を内枠に対して開状態とすることで、遊技盤の遊技領域にアクセスできる。また、前面扉は、その裏面側（遊技盤と対向する面側）で視認窓を除く箇所に補強用の板金が設けられている（例えば、特許文献１参照）。
特開２００２−８６８号公報（第２−４頁，第２−３図）
しかしながら、このような構成を有する従来例の場合には、次のような問題がある。
すなわち、従来のパチンコ機では、例えば、前面扉（扉部材）は樹脂成形されており、前述したようにその前面扉の裏面側に補強用の板金を設けているのであるが、前面扉を開けたときに、前面扉の板金の配置箇所がわかるために、不正の目的で、板金を避けた位置の樹脂部分を溶かして孔を空けて不正が行われることがあるという問題がある。
また、賞球等された遊技球を貯留して発射装置へ導くための上皿が前面扉（扉部材）に一体形成されているような場合には、不正行為者が上皿を手前側に非常に強く引っ張ることでこの前面扉と遊技盤との間を不正に広げた部分を生じさせ、かかる部分を利用した不正行為が行われるという問題もある。
【００１３】
後述の（０）に係る発明は、このような事情に鑑みてなされたものであって、扉部材を介しての不正行為を低減できる遊技機を提供することを目的とする。
（０）  遊技球が打ち込まれる遊技領域を前面側に形成する本体部材と、前記遊技盤の前面側に位置し前記本体部材に対して開閉自在な扉部材と、を備えた遊技機において、
前記扉部材は、
前記遊技盤の遊技領域を視認するための開口部を有する不透明なベース部材と、
前記ベース部材の前面側に取り付けられる前面側部材と、
前記ベース部材の開口部を塞ぎ且つ遊技領域が視認可能な視認窓部材と、
を備えるとともに、
前記前面側部材と前記ベース部材との間に、前記前面側部材と前記ベース部材とは異なる材質で形成された補強部材を挟んで構成されており、
前記ベース部材は、その厚み方向を深さ方向とする細隙部を前面側に備え、
前記補強部材は、板状の本体板部と、前記本体板部の端部の所定箇所を当該本体板部の面方向に対して垂直あるいは略垂直に折り曲げた折り曲げ部とを備え、
前記ベース部材の前記細隙部に前記補強部材の前記折り曲げ部を挿入した状態で当該補強部材が前記前面側部材と前記ベース部材との間に挟み込まれている
ことを特徴とする遊技機。
前記（０）に記載の発明によれば、遊技機における、本体部材に対して開閉自在な扉部材は、遊技盤の遊技領域を視認するための開口部を有する不透明なベース部材と、このベース部材の前面側に取り付けられる前面側部材と、ベース部材の開口部を塞ぎ且つ遊技領域が視認可能な視認窓部材と、を備えている。また、この扉部材は、前面側部材とベース部材との間に、前面側部材とベース部材とは異なる材質で形成された補強部材を挟んで構成されているので、扉部材を前面視した状態ではベース部材に取り付けられた前面側部材の存在により、扉部材における補強部材の配置箇所を当然にわからないようになっているし、たとえ扉部材を開けて裏面視したとしても、ベース部材が不透明なものであるため、扉部材における補強部材の配置箇所をわからないようにできる。つまり、扉部材での補強部材の有無、補強部材を避けた位置やその有無についてもわからないようにできる。したがって、補強部材を避けた位置に不正な孔を空けることを困難とすることができ、扉部材を介しての不正行為を低減できる。
さらに、ベース部材は、その厚み方向を深さ方向とする細隙部を備え、補強部材は、板状の本体板部と、この本体板部の端部の所定箇所を当該本体板部の面方向に対して垂直あるいは略垂直に折り曲げた折り曲げ部とを備え、ベース部材の細隙部に補強部材の折り曲げ部を挿入した状態で当該補強部材が前面側部材とベース部材との間に挟み込まれているので、断面視で略Ｌ字状の補強部材とすることができ、さらに丈夫な補強構造としつつ、補強部材の折り曲げ部をベース部材の細隙部に挿入した仮止め状態とすることができ、補強部材の取り付け作業性を向上させることができる。
【００１４】
（１）  前記（０）に記載の遊技機において、
前記補強部材は補強用の板金であることを特徴とする遊技機。
【００１５】
前記（１）に記載の発明によれば、補強部材は、補強用の板金としているので、扉部材の剛性を確保できるのみならず、この板金を溶かして孔を空けることは困難であり、扉部材を介しての不正行為を低減できる。
【００１６】
（２）  前記（１）に記載の遊技機において、
前記補強部材は、複数個の補強用の板金からなり、
前記複数個の板金は、前記扉部材の正面視で当該扉部材のうちで前記視認窓部材の周囲にそれぞれ位置するように設けられており、これら板金が電気的に接続されている
ことを特徴とする遊技機。
【００１７】
前記（２）に記載の発明によれば、補強部材としての複数個の補強用の板金は、扉部材の正面視で当該扉部材のうちで視認窓部材の周囲にそれぞれ位置するように設けられているので、扉部材の剛性を確保できるのみならず、この板金を溶かして孔を空けることは困難であり、扉部材を介しての不正行為を低減できる。また、これら板金が電気的に接続されているので、いずれかの板金を接地することで、扉部材の全体にわたって接地させることができる。
【００１８】
（３）  前記（２）に記載の遊技機において、
前記複数個の補強用の板金は、前記扉部材の正面視で当該扉部材の上部に位置する補強用の上板金と、前記扉部材の正面視で当該扉部材の右部に位置する補強用の右板金と、前記扉部材の正面視で当該扉部材の下部に位置する補強用の下板金と、前記扉部材の正面視で当該扉部材の左部に位置する補強用の左板金であり、これら板金が電気的に接続されている
ことを特徴とする遊技機。
【００１９】
前記（３）に記載の発明によれば、扉部材の上部には補強用の上板金を、扉部材の右部には補強用の右板金を、扉部材の下部には補強用の下板金を、扉部材の左部には補強用の左板金をそれぞれ備えているので、扉部材の剛性を確保できるのみならず、この板金を溶かして孔を空けることは困難であり、扉部材を介しての不正行為を低減できる。また、これら板金が電気的に接続されているので、いずれかの板金に対して接地することで、扉部材の全体にわたって接地させることができる。
【００２０】
（４）  前記（２）または（３）に記載の遊技機において、
前記本体部材は、前記扉部材を開閉可能に軸支する導電性の軸支部を備え、
前記軸支部は、前記複数個の板金のうちの少なくとも一つと電気的に接続されるとともに接地されている
ことを特徴とする遊技機。
【００２１】
前記（４）に記載の発明によれば、本体部材は、扉部材を開閉可能に軸支する導電性の軸支部を備え、本体部材の軸支部は、複数個の板金のうちの少なくとも一つと電気的に接続されるとともに接地されているので、扉部材の全体にわたって接地させることができる。
【００２２】
（５）  前記（２）または（３）に記載の遊技機において、
前記本体部材は、前記扉部材が当該本体部材に対して閉状態となると少なくとも一つの前記板金に接触して電気的に接続される接続部を備え、
前記接続部または前記板金は接地されている
ことを特徴とする遊技機。
【００２３】
前記（５）に記載の発明によれば、本体部材の接続部は、扉部材が当該本体部材に対して閉状態となると少なくとも一つの板金に接触して電気的に接続され、接続部または板金は接地されているので、扉部材の全体にわたって接地させることができる。
【００２４】
（６）  前記（１）から（５）のいずれか一つに記載の遊技機において、
前記扉部材は、発光手段と、前記発光手段により照らされる装飾部材とからなる電飾部材を備え、
前記装飾部材は前記ベース部材の前面側に位置し、前記補強部材は前記ベース部材の裏面側に位置している
ことを特徴とする遊技機。
【００２５】
前記（６）に記載の発明によれば、装飾部材（例えば金属製又は金属メッキを施した装飾部材など）に電荷が溜まることがあり、この電荷に起因して発生するノイズが扉部材から裏面側へ出射されることを導電性の補強部材により低減でき、本体部材の遊技盤の各種遊技部品や、ひいては、遊技内容を制御する制御基板に対し、悪影響をもたらすことを低減できる。
【００２６】
（７）  前記（１）から（５）のいずれか一つに記載の遊技機において、
前記前面側部材は、発光手段と、前記発光手段により照らされ金属製又は金属メッキを施した装飾部材とからなる電飾部材を備え、
前記補強部材は前記装飾部材に電気的に接続されている
ことを特徴とする遊技機。
【００２７】
前記（７）に記載の発明によれば、金属製又は金属メッキを施した装飾部材に電荷が溜まることがあり、この電荷がノイズなどを発生させる要因となり、扉部材に取り付けられる電気部品（例えば、装飾部材を照らすランプ基板など）、ひいては、遊技内容を制御する制御基板に対し、悪影響をもたらすことになるという問題に対して、補強部材は装飾部材に電気的に接続されているので、扉部材内の補強部材つまり前面側部材とベース部材とに挟まれた補強部材によって、装飾部材が接地されることになり、装飾部材に電荷が溜まることがない。その結果、扉部材に取り付けられる各種電気部品（例えば、装飾部材を照らすランプ基板など）や遊技内容を制御する制御基板に対して悪影響をもたらすことがなく、装飾部材がノイズなどの電気的不具合を生じさせることがない。
【００２８】
（８）  前記（０）に記載の遊技機、または、前記（１）から（７）のいずれか一つに記載の遊技機において、
さらに、前記ベース部材での前記本体部材と対向する側である裏面側で前記開口部の周辺の所定箇所に、遊技球を通過案内する通路部材を備えている
ことを特徴とするものである。
【００２９】
前記（８）に記載の発明によれば、ベース部材での本体部材と対向する側である裏面側で開口部の周辺の所定箇所に、遊技球を通過案内する通路部材を備えているので、扉部材の前面側部材のうちでベース部材の通路部材に対応する部分（例えば上皿）を不正行為者が手前側に非常に強く引っ張ろうとしても、この通路部材の存在により扉部材が撓むことが低減され、さらに剛性を高めることができ、前面扉と遊技盤との間を不正に広げられることを低減でき、かかる部分を利用した不正行為を防止できる。
【００３０】
なお、通路部材とベース部材とを一体成型してもよいし、通路部材とベース部材とを別体としてもよい。
【００３１】
（９）  前記（８）に記載の遊技機において、
前記前面側部材は、払い出しされた遊技球が貯留可能な皿部材を備え、
前記通路部材は、前記ベース部材での前記皿部材が存する箇所の裏側に備えられ、払い出しされた遊技球を前記皿部材に案内するものであり、
前記補強部材は、前記皿部材と前記通路部材との間に少なくとも位置している
ことを特徴とする遊技機。
【００３２】
前記（９）に記載の発明によれば、前面側部材は、払い出しされた遊技球が貯留可能な皿部材を備えている。皿部材は、遊技球を貯留する構造であるが故に、不正行為者によって手前側に引っ張り易い構造となっている。しかし、ベース部材での皿部材が存する箇所の裏側に通路部材を備えるとともに、前記皿部材と通路部材との間に補強部材が位置しているので、皿部材を不正行為者が手前側に非常に強く引っ張ろうとしても、この通路部材及び補強部材の存在により扉部材が撓むことが低減され、さらに剛性を高めることができ、前面扉と遊技盤との間を不正に広げられることを低減でき、かかる部分を利用した不正行為を防止できる。
【００３３】
（１０）  前記（９）に記載の遊技機において、
前記皿部材は、払い出しされた遊技球が貯留可能で且つその遊技球を遊技球発射装置に供給するための上皿部材と、払い出された遊技球が貯留可能で前記上皿部材とは別体でその下方位置に位置する下皿部材とを備え、
前記通路部材は、払い出しされた遊技球を前記下皿部材に案内する下皿用通路部を備え、前記ベース部材での前記上皿部材および前記下皿部材が存する箇所の裏側に跨る一体部品により構成されている
ことを特徴とする遊技機。
【００３４】
前記（１０）に記載の発明によれば、前面側部材の皿部材は、上皿部材と下皿部材とからなる。上皿部材は、払い出しされた遊技球が貯留可能で且つその遊技球を遊技球発射装置に供給するためのものであり、下皿部材は、払い出された遊技球が貯留可能で、上皿部材とは別体でその下方位置に位置している。通路部材は、払い出しされた遊技球を下皿部材に案内する下皿用通路部を備えている。上皿部材または下皿部材は、遊技球を貯留する構造であるが故に、不正行為者によって手前側に引っ張り易い構造となっている。しかし、通路部材は、ベース部材での上皿部材および下皿部材が存する箇所の裏側に跨る一体部品により構成されているので、上皿部材などを不正行為者が手前側に非常に強く引っ張ろうとしても、この通路部材の存在により扉部材が撓むことが低減され、さらに剛性を高めることができ、前面扉と遊技盤との間を不正に広げられることを低減でき、かかる部分を利用した不正行為を防止できる。
【００３５】
（１１）  前記（１０）に記載の遊技機において、
前記通路部材は、前記本体部材の前面側と前記扉部材の裏面側との隙間に設けられる板状のスペーサ部を備え、前記スペーサ部は前記ベース部材の前記開口部と前記下皿用通路部との間に位置するように当該ベース部材に取り付けられている
ことを特徴とする遊技機。
【００３６】
前記（１１）に記載の発明によれば、通路部材は、本体部材の前面側と扉部材の裏面側との隙間に設けられる板状のスペーサ部を備え、このスペーサ部は前記ベース部材の前記開口部と前記下皿用通路部との間に位置するように当該ベース部材に取り付けられているので、上皿部材の裏面をスペーサ部で覆うことができ、上皿部材を不正行為者が手前側に非常に強く引っ張ろうとしても、この通路部材のスペーサ部の存在により扉部材が撓まず、さらに剛性を高めることができ、前面扉と遊技盤との間を不正に広げられることが低減でき、かかる部分を利用した不正行為を防止できる。また、スペーサ部によって、本体部材の前面側と扉部材の裏面側との隙間を埋めることができ、隙間を利用した不正行為を防止できる。
【００３７】
（１２）  前記（１０）または（１１）に記載の遊技機において、
前記通路部材は、その外側を所定幅に亘って覆う金属製のカバー部材を備えている
ことを特徴とする遊技機。
【００３８】
前記（１２）に記載の発明によれば、通路部材は、その通路部の外側を所定幅に亘って覆う金属製のカバー部材を備えているので、さらに剛性を高めることができ、皿部材を不正行為者が手前側に非常に強く引っ張ろうとしても、この金属製のカバー部材の存在により扉部材が撓まず、前面扉と遊技盤との間を不正に広げた部分を生じさせることが低減でき、かかる部分を利用した不正行為を防止できる。また、金属製のカバー部材で覆われているため、その被覆箇所に対して不正な孔が空けられることも低減できる。
【００３９】
（１３）  前記（１２）に記載の遊技機において、
前記カバー部材は、前記ベース部材の裏面視した状態において、前記通路部材の前記下皿用通路部の遊技球排出口が重なる当該下皿用通路部の外側を少なくとも覆う箇所に設けられている
ことを特徴とする遊技機。
【００４０】
前記（１３）に記載の発明によれば、カバー部材は、ベース部材の裏面視した状態において、通路部材の下皿用通路部の遊技球排出口が重なる当該下皿用通路部の外側を少なくとも覆う箇所に設けられているので、扉部材の前面側から下皿部材の開口（正確に言えば、下皿用通路部の遊技球排出口）に不正具を挿入してかかる下皿用通路部に不正孔を空けようとしてもこの下皿用通路部の外側を覆う金属性のカバー部材でそれを防ぐことができる。なお、このカバー部材は、前記ベース部材の裏面視した状態において、前記通路部材の前記下皿用通路部の遊技球排出口が重なる当該下皿用通路部の外側を覆う本壁部と、前記下皿用通路部の側壁部分を覆うように前記本壁部から延出した側壁部とを一体的に備えている方が、下皿用通路部の裏面および側面を覆うことができ、より不正抑止効果がある。
【００４１】
（１４）  前記（１３）に記載の遊技機において、
前記通路部材は、前記遊技球発射装置から前記遊技盤に向けて発射されて遊技領域に達せずに戻ってきたファール球を受ける受口部と、前記受口部で受けた遊技球を前記下皿部材に案内するファール球用通路部と、を備え、
前記受口部は、ファール球の落下衝撃を吸収する衝撃吸収部材を備えている
ことを特徴とする遊技機。
【００４２】
前記（１４）に記載の発明によれば、通路部材は、遊技球発射装置から遊技盤に向けて発射されて遊技領域に達せずに戻ってきたファール球を受ける受口部と、この受口部で受けた遊技球を下皿部材に案内するファール球用通路部とを備え、受口部はファール球の落下衝撃を吸収する衝撃吸収部材を備えているので、ファール球の落下衝突により通路部材が破壊あるいは損傷を受けることを低減でき、ファール球の受口部への衝突音も低減できる。
【００４３】
（１５）  前記（０）に記載の遊技機、または、前記（１）から（１４）のいずれか一つに記載の遊技機において、
前記ベース部材は、その裏面側で前記開口部の周辺の所定箇所に凹部を備え、
前記通路部材は、その取付面側の所定部分が前記凹部に挿入された状態で取り付けられている
ことを特徴とするものである。
【００４４】
前記（１５）に記載の発明によれば、ベース部材は、その裏面側で開口部の周辺の所定箇所に凹部を備え、通路部材は、その取付面側の所定部分がベース部材の凹部に挿入された状態で当該ベース部材に取り付けられるので、通路部材とベース部材との隙間に不正具を挿入しようとする不正行為を低減できる。つまり、ベース部材と通路部材との境界部分をベース部材の凹部内に位置させることができ、かかる境界部分に不正具を挿入することを困難にでき、不正行為の抑止効果がある。
【００４５】
（１６）  前記（０）に記載の遊技機、または、前記（１）から（１５）のいずれか一つに記載の遊技機において、
前記遊技機はパチンコ機であることを特徴とする遊技機。
【００４６】
前記（１６）に記載の遊技機によれば、扉部材を介しての不正行為を低減できるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００４７】
（１７）  前記（０）に記載の遊技機、または、前記（１）から（１５）のいずれか一つに記載の遊技機において、
前記遊技機はスロットマシンであることを特徴とする遊技機。
【００４８】
前記（１７）に記載の遊技機によれば、扉部材を介しての不正行為を低減できるスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００４９】
（１８）  前記（０）に記載の遊技機、または、前記（１）から（１５）のいずれか一つに記載の遊技機において、
前記遊技機はパチンコ機とスロットマシンとを融合させたものであることを特徴とする遊技機。
【００５０】
前記（１８）に記載の遊技機によれば、扉部材を介しての不正行為を低減できる、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【００５１】
以下、パチンコ遊技機（以下、単に「パチンコ機」という）の各種の実施の形態を、図面に基づいて詳細に説明する。
【実施例１】
【００５２】
実施例１のパチンコ機を、図面に基づいて詳細に説明する。図１はパチンコ機１０の正面図であり、図２は、パチンコ機１０の遊技盤３０の正面図であり、図３は、パチンコ機１０の裏面図である。図４は、パチンコ機１０の電気的構成を示すブロック図である。図５は、第３図柄表示装置４２の表示内容を示す説明図である。
【００５３】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸Ｊ１として内枠１２に対して開閉自在に取り付けられる前面枠セット１４とを備えている。
【００５４】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００５５】
内枠１２は、大別すると、その外形を形成する主要部材としての樹脂ベース（図示省略）と、この樹脂ベース（図示省略）に取り付けられる遊技盤３０（図２参照）とを備えている。また、内枠１２は、図１に示すように、樹脂ベース（図示省略）の前面側で片開き自在な前面枠セット１４を備えている。
【００５６】
具体的には、樹脂ベース（図示省略）は、正面視で、その外形が略矩形状で、かつ、その略中央箇所を開口中心とする開口部（後述する遊技領域３０ａ（図２参照）と同等の大きさの開口）が形成された板状部材としている。
【００５７】
前面枠セット１４は、正面視左側で上下方向の開閉軸Ｊ１を軸心にして当該内枠１２に対して開閉自在に取り付けられている。言い換えれば、前面枠セット１４は、樹脂ベース（図示省略）に対して開閉自在となっている。
【００５８】
遊技盤３０（図２参照）は、その遊技領域３０ａを樹脂ベース（図示省略）の開口部に位置させるようにして当該樹脂ベースの裏面側に着脱自在に取り付けられる。
【００５９】
ここで、もう少し詳細に前面枠セット１４について説明する。
【００６０】
前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００６１】
前面枠セット１４は、図１に示すように、その前面視すると、最下部に位置する下皿ユニット１３と、この下皿ユニット１３の上側に位置する上皿ユニット２１と、この上皿ユニット２１の上側に位置するガラス枠部２３と、に大別される。これらの下皿ユニット１３と上皿ユニット２１とガラス枠部２３とは、後述する図９に示すベース板体の前面側各箇所にそれぞれ取り付けられて前面枠セット１４が構成されている。
【００６２】
下皿ユニット１３は、図１に示すように、前面枠セット１４の最下部箇所に位置するように、ネジ等の締結具によりベース板体（図９参照）の正面視で最下部箇所に固定されている。この下皿ユニット１３は、その前面側に、下皿１５と球抜きレバー１７と遊技球発射ハンドル１８とを備えている。
【００６３】
球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜く（排出する）ためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。
【００６４】
遊技球発射ハンドル１８は、図１に示すように、下皿１５よりも右方で手前側に突出して配設されている。遊技者による遊技球発射ハンドル１８の操作に応じて、遊技球発射装置３８によって遊技球が図２に示す遊技盤３０の遊技領域３０ａに打ち込まれるようになっている。遊技球発射装置３８は、例えば、遊技球発射ハンドル１８と発射装置２２９（図４参照）などで構成されている。音出力部２４は、前面枠セット１４の正面視で上部の左右２箇所で、その前面枠セット１４の内部あるいは背面箇所に設けられたスピーカからの音を出力するための出力口である。
【００６５】
上皿ユニット２１は、図１に示すように、前面枠セット１４の下部箇所（前述の下皿１５の真上位置）に位置するように、ネジ等の締結具によりベース板体（図９参照）の正面視で下部箇所に固定されており、遊技球の受皿としての上皿１９を備えている。ここで、上皿１９は、遊技球を一旦貯留し、一列に整列させながら遊技球発射装置３８の方へ導出するための球受皿である。
【００６６】
ガラス枠部２３は、図１に示すように、上皿ユニット２１の上側に形成された窓部１０１を備えている。
【００６７】
つまり、前面枠セット１４には、図１に示すように、上皿ユニット２１の上側に位置するガラス枠部２３の中央箇所に、遊技盤３０の遊技領域３０ａ（図２参照）のほとんどを外部から視認することができるよう略縦長楕円形状の窓部１０１が形成されている。詳しくは、窓部１０１は、略縦長楕円形状で中央が空洞となっており、その空洞部分を略縦長楕円形状等のガラス板１３７で覆うように、後述する図７に示すガラスユニットが前面枠セット１４の裏面側に取り付けられたものである。ガラスユニット（図７参照）は、二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００６８】
さらに、ガラス枠部２３は、図１に示すように、窓部１０１の周囲に各種の電飾部（第１電飾部４００、第２電飾部４０２および第３電飾部４０４）を備えている。つまり、前面枠セット１４は、図１に示すように、その前面視した状態で窓部１０１の周囲で左箇所に、ＬＥＤ等を内蔵した第１電飾部４００（左側電飾部）を、窓部１０１の周囲で右箇所に、ＬＥＤ等を内蔵した第２電飾部４０２（右側電飾部）を、窓部１０１の周囲で上箇所に、ＬＥＤ等を内蔵した第３電飾部４０４（上側電飾部）を備えている。これらの電飾部は、大当たり時や所定のリーチ時等における遊技状態の変化に応じて点灯、点滅のように発光態様が変更制御され遊技中の演出効果を高める役割を果たすものである。
【００６９】
本パチンコ機１０では、第１電飾部４００、第２電飾部４０２および第３電飾部４０４は、大当たりランプとして機能し、大当たり時に点灯や点滅を行うことにより、大当たり中であることを報知する。その他、本パチンコ機１０の第１電飾部４００および第２電飾部４０２には、賞球払出し中に点灯する賞球ランプ１０５と、所定のエラー時に点灯するエラー表示ランプ１０６とが備えられている。また、窓部１０１の周縁で右斜め下箇所には、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００７０】
また、窓部１０１の下方には貸球操作部１２０が配設されており、貸球操作部１２０には球貸しボタン１２１と返却ボタン１２２とが設けられている。パチンコ機１０の側方に配置された図示しないカードユニット（球貸しユニット）に紙幣やカード（例えばプリペイドカード）等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。なお、貸球操作部１２０にさらに度数表示部（図示省略）を設けるようにしてもよい。この度数表示部（図示省略）は、カード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００７１】
遊技盤３０は、図２に示すように、正面視で四角形状の合板でその左側の両角部が取れたような形状としており、その周縁部（後述するレール５１，５２の外側部分）が内枠１２の樹脂ベース（図示省略）の裏側に当接した状態で取着されており、この遊技盤３０の前面側の略中央部分たる遊技領域３０ａが樹脂ベースの略楕円形状の図１に示した窓部１０１（ガラス板１３７）を通じて前面枠セット１４の前方外側から視認可能な状態となっている。
【００７２】
次に、図２を用いて遊技盤３０の構成を説明する。遊技盤３０は、一般入賞口３１、可変入賞装置３２、第１の始動口３３ａ，３３ｂ（例えば作動チャッカ）、第２の始動口３４（例えばスルーゲート）、可変表示装置ユニット３５等を備えている。これらの一般入賞口３１、可変入賞装置３２、第１の始動口３３ａ，３３ｂ（例えば作動チャッカ）、第２の始動口３４（例えばスルーゲート）、可変表示装置ユニット３５等は、遊技盤３０における、ルータ加工によって形成された各貫通穴にそれぞれに配設され、遊技盤３０前面側から木ネジ等により取り付けられている。前述の一般入賞口３１、可変入賞装置３２および第１の始動口３３ａ，３３ｂに遊技球が入球し、当該入球が後述する検出スイッチ（入賞口スイッチ、カウントスイッチ、作動口スイッチ）で検出され、この検出スイッチの出力に基づいて、上皿１９（または下皿１５）へ所定数の賞品球が払い出される。なお、前述したように、上部側の第１の始動口３３ａには作動口スイッチ（通過検出スイッチ）が設けられ、この第１の始動口３３ａへの入球をその作動口スイッチにより検出されるようになっている。また、下部側の第１の始動口３３ｂにも作動口スイッチ（通過検出スイッチ）が設けられ、この第１の始動口３３ｂへの入球をその作動口スイッチにより検出されるようになっている。すなわち、上部側の第１の始動口３３ａへの遊技球の入球または下部側の第１の始動口３３ｂへの遊技球の入球のどちらの場合にも、それが始動入賞であることに変わりは無い。なお、上部側の第１の始動口３３ａと下部側の第１の始動口３３ｂとは、図２に示すように、単一の始動入賞装置３３で構成されている。
【００７３】
その他に、図２に示すように、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。図２には、多数の釘が図示されているが、図面の見易さを優先することを理由に釘について符合を付すのを省略している。
【００７４】
可変表示装置ユニット３５は、第１の始動口３３ａ，３３ｂへの入賞をトリガとして、識別情報としての第１図柄（例えば特別図柄）を変動表示する第１図柄表示装置４０と、第２の始動口３４の通過をトリガとして、第２図柄（例えば普通図柄）を変動表示する第２図柄表示装置４１と、第１の始動口３３ａ，３３ｂへの入賞をトリガとして、第３図柄（例えば装飾図柄）を変動表示する第３図柄表示装置４２とを備えている。
【００７５】
第１図柄表示装置４０は、例えば、複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃとを備えている。このＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００７６】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００７７】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第１の始動口３３ｂが所定時間だけ作動状態となる（開放される）よう構成されている。遊技球が第２の始動口３４を通過した回数は最大４回まで保留され、その保留回数が保留ランプ４１ｃにて点灯表示されるようになっている。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００７８】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示されるようになっている。なお本実施の形態では、第３図柄表示装置４２（液晶表示装置）は、例えば、１１インチサイズの大型の液晶ディスプレイを備える。可変表示装置ユニット３５には、第３図柄表示装置４２を囲むようにしてセンターフレーム４７が配設されている。なお、上述した第３図柄表示装置４２が本発明における装飾識別情報（図柄）変動表示手段に相当し、上述した表示制御装置４５が本発明における表示制御手段に相当する。
【００７９】
図２に示すように、可変入賞装置３２は、通常は遊技球が入賞できない又は入賞し難い閉状態になっており、大当たりの際に遊技球が入賞しやすい開状態と通常の閉状態とに繰り返し作動されるものである。このように、大当たりの際に可変入賞装置３２が開状態と通常の閉状態とに繰り返し作動される状態は、特別遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。
【００８０】
より詳しくは、第１の始動口３３ａ，３３ｂに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特別遊技状態が発生する。例えば、両方のＬＥＤ４０ａ，４０ｂが赤色発光状態で停止するという発光態様の場合には、確変大当り（特定当り）の特別遊技状態に当選したことを示し、両方のＬＥＤ４０ａ，４０ｂが青色発光状態で停止するという発光態様の場合には、通常大当り（非特定当り）の特別遊技状態に当選したことを示し、両方のＬＥＤ４０ａ，４０ｂが互いに異なる色の発光状態で停止するという発光態様の場合には外れ（特別遊技状態に落選したこと）を示す。
【００８１】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。遊技球が第１の始動口３３ａ，３３ｂを通過した回数は最大４回まで保留され、その保留回数が保留ランプ４０ｃにて点灯表示されるようになっている。なお、保留ランプ４０ｃは、第３図柄表示装置４２の表示画面の一部で保留表示等される構成等であっても良い。
【００８２】
また、遊技盤３０には、図２に示すように、遊技球発射装置３８（図３参照）から発射された遊技球を遊技盤３０上部へ案内するための複数本のレール５１，５２が取り付けられており、遊技球発射ハンドル１８の回動操作に伴い発射された遊技球は複数本のレール５１，５２の後述する球案内通路４９を通じて所定の遊技領域３０ａに案内されるようになっている。複数本のレール５１，５２は長尺状をなすステンレス製の金属帯状部材であり、内外二重に遊技盤３０に取り付けられている。内レール５１は上方の約１／４ほどを除いて略縦楕円環状に形成されている。外レール５２は、一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００８３】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、遊技盤３０が内枠１２に取り付けられた状態において、外レール５２における、遊技球の最大飛翔部分に対応する位置（図２の右上部：外レール５２の先端部に相当する部位）には、内枠１２に設けられた返しゴム５４（図２に二点鎖線で示す部材）が位置するようになっている。従って、所定以上の勢いで発射された遊技球は、返しゴム５４に当たって跳ね返されるようになっている。外レール５２は、長尺状をなすステンレス製の金属帯としているので、遊技球の飛翔をより滑らかなものとする、つまり遊技球の摩擦抵抗を少なくすることができる。なお、図２に破線で示すように、外レール５２の先端部から内レール５１の右側先端部までは、内枠１２に形成された壁部６０（図２に破線で示す）が位置することにより、遊技領域３０ａが仕切られている。
【００８４】
なお、遊技盤３０の右下隅部は、証紙（例えば製造番号が記載されている）等のシール（図２のＳ１）やプレートを貼着するためのスペースとなっている。遊技盤３０の右下隅部に、証紙等のシール（図２のＳ１）を貼着することで、遊技盤３０と証紙との一義性を持たせることができる。
【００８５】
次に、遊技盤３０の遊技領域３０ａについて説明する。遊技領域３０ａは、図２に示すように、内レール５１と外レール５２との内周部（内外レール）により略縦長円形状に区画形成されており、特に本実施の形態では、遊技盤３０の盤面上に区画される当該遊技領域３０ａが従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００８６】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【００８７】
従って、本実施の形態では、遊技領域３０ａの幅（左右方向の最大幅）は、４１８ｍｍであり、遊技領域３０ａの高さ（上下方向の最大幅）は、４４５ｍｍである。
【００８８】
なお、詳しい図面の開示は省略するが、遊技球発射装置３８には、後述する図７に示す前面枠セット１４側の球出口６１（上皿１９の最下流部より通じる球出口）から遊技球が１つずつ供給される。
【００８９】
次に、パチンコ機１０の背面の構成について説明する。図３に示すように、パチンコ機１０は、その背面（実際には内枠１２及び遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台（図示省略）に分けて搭載して２つの制御基板ユニットを構成し、それら制御基板ユニットを個別に内枠１２又は遊技盤３０の裏面に装着するようにしている。この場合、後述する図４に示した主制御装置２６１とサブ制御装置２６２とを一方の取付台（図示省略）に搭載してユニット化すると共に、後述する図４に示した払出制御装置３１１、発射制御装置３１２及び電源装置３１３を他方の取付台（図示省略）に搭載してユニット化している。ここでは便宜上、前者のユニットを「第１制御基板ユニット２０１」と称し、後者のユニットを「第２制御基板ユニット２０２」と称することとする。
【００９０】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００９１】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成となっている。これは、各ユニット２０１〜２０３やその他構成が前後に重ねて配置されても、隠れた構成等を容易に確認することを可能とするための工夫でもある。
【００９２】
また、遊技盤３０の裏面には、各種入賞口などの遊技球の通過を検出するための入賞感知機構などが設けられている。具体的には、遊技盤３０表側の一般入賞口３１に対応する位置には入賞口スイッチが設けられ、可変入賞装置３２にはカウントスイッチが設けられている。カウントスイッチは入賞球をカウントするスイッチである。また、第１の始動口３３ａ，３３ｂに対応する位置には作動口スイッチがそれぞれ設けられ、第１の始動口３３ａ，３３ｂへの遊技球の入球を当該作動口スイッチで検出される。第２の始動口３４に対応する位置にはゲートスイッチが設けられ、第２の始動口３４への遊技球の通過を当該作動口スイッチで検出される。なお、上述した作動口スイッチが本発明における入賞検出手段に相当する。
【００９３】
入賞口スイッチ及びゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、カウントスイッチは大入賞口中継端子基板（図示省略）に接続され、さらにこの大入賞口中継端子基板（図示省略）がやはり主制御基板２６１ａに接続されている。これに対し、作動口スイッチは中継基板を介さずに直接に主制御基板２６１ａに接続されている。
【００９４】
その他図示は省略するが、可変入賞装置３２には、大入賞口３２ａを開放するための大入賞口ソレノイドが設けられ、下部側の第１の始動口３３ｂには、電動役物を開放するための作動口ソレノイドが設けられている。
【００９５】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。
【００９６】
第１制御基板ユニット２０１は、例えば略矩形状の取付台（図示省略）を有し、この取付台（図示省略）を遊技盤３０の裏面側から見た状態での手前側に主制御装置２６１が搭載され、この取付台（図示省略）の奥側（裏側）にサブ制御装置２６２が搭載されている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベース（図示省略）と該ボックスベースの開口部を覆うボックスカバー（図示省略）とを備えている。これらボックスベースとボックスカバーとは、封印ユニット（図示省略）によって開封不能に連結され、これにより基板ボックス（図示省略）が封印されている。
【００９７】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２および表示制御装置４５に出力されるようになっている。
【００９８】
第２制御基板ユニット２０２は横長形状をなす取付台（図示省略）を有し、この取付台に払出制御装置３１１、発射制御装置３１２、電源装置３１３及びカードユニット接続基板３１４が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、発射ソレノイド（図示省略）への通電／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板３１４は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００９９】
上記払出制御装置３１１、発射制御装置３１２、電源装置３１３及びカードユニット接続基板３１４は、透明樹脂材料等よりなる基板ボックスにそれぞれ収容されて構成されている。特に、払出制御装置３１１では、前述した主制御装置２６１と同様、基板ボックス（被包手段）を構成するボックスベース（図示省略）とボックスカバー（図示省略）とが封印ユニット（封印手段）によって開封不能に連結され、これにより基板ボックス２６３が封印されている。
【０１００】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【０１０１】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【０１０２】
次に、裏パックユニット２０３の構成を説明する。裏パックユニット２０３は、図３に示すように、樹脂成形された裏パック３５１と遊技球の払出機構部３５２とを一体化したものである。
【０１０３】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（後述する通路部材４７０）等を通じて上皿１９に供給される。
【０１０４】
また、タンクレール３５６には、当該タンクレール３５６に振動を付加するためのバイブレータ３６０が設けられている。例えば、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【０１０５】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされるようになっている。
【０１０６】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【０１０７】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力されるようになっている。
【０１０８】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【０１０９】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【０１１０】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアを備えている。
【０１１１】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【０１１２】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【０１１３】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１１４】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアを備えている。
【０１１５】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【０１１６】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【０１１７】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【０１１８】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レール４０１に遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【０１１９】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【０１２０】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１２１】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【０１２２】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１２３】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【０１２４】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２４ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【０１２５】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１２６】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【０１２７】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【０１２８】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示されるようになっている。
【０１２９】
続いて、本実施例のパチンコ機１０のさらなる特徴部分について図６〜図２５を用いて説明する。
【０１３０】
図６は、前面枠セット１４の正面図である。図７は、前面枠セット１４の裏面図である。図８は、ガラスユニットが取り外された状態での前面枠セット１４の裏面図である。図９は、前面枠セット１４の分解斜視図である。図１０は、裏面枠体４３０の正面図である。図１１は、裏面枠体４３０を正面側の右上から見た斜視図である。図１２は、裏面枠体４３０からサブベースを取り外した状態を示す分解斜視図である。図１３は、裏面枠体４３０を裏面側の左上から見た斜視図である。図１４は、裏面枠体４３０を裏面側の右上から見た斜視図である。図１５は、ベース枠４３２を正面側の右上から見た斜視図である。図１６は、図１５のベース枠４３２から支持部を取り外した状態を示す分解斜視図である。図１７は、図１６の支持部取り外し後のベース枠４３２を正面側の右上から見た斜視図である。図１８は、図１７のベース枠４３２から板金４４０ａ〜４４０ｄを取り外した状態を示す分解斜視図である。図１９は、板金４４０ａ〜４４０ｄの斜視図である。なお、図１９では、板金４４０ａ〜４４０ｄにおける一点鎖線円箇所の断面を矢印先の一点鎖線円内に示し、板金４４０ａ，４４０ｂにおけるニ点鎖線円箇所の拡大図を矢印先の二点鎖線円内に示している。図２０は、ベース枠４３２の細隙部４３９と板金４４０ｃの折り曲げ部４４２を示す図である。図２１は、裏面枠体４３０を裏面側の左上から見た通路部材４７０の分解斜視図である。図２２は、裏面枠体４３０を裏面側の右上から見た通路部材４７０の分解斜視図である。図２３は、通路部材４７０を左上から見た分解斜視図である。図２４は、通路部材４７０を右上から見た分解斜視図である。図２５は、ベース枠４３２での通路部材４７０を示す一部破断斜視図である。
【０１３１】
前述したように本実施例のパチンコ機１０は、図１に示すように、遊技球が打ち込まれる遊技領域３０ａを前面側に形成する内枠１２（この実施例では遊技領域３０ａを有する遊技盤３０（図２参照）が取り付けられる内枠１２）と、遊技盤３０の前面側に位置し内枠１２に対して開閉自在な前面枠セット１４とを備えている。前面枠セット１４は、図６に示すように、前述した下皿１５、排出口１６、球抜きレバー１７、遊技球発射ハンドル１８、上皿１９、窓部１０１およびガラス板１３７などを備えている。
【０１３２】
前面枠セット１４は、図６に示すように、開閉軸Ｊ１として内枠１２（図１，図１１参照）に対して開閉可能に支持されるものである。つまり、前面枠セット１４は内枠１２に対して右側が開く片開き構造となっている。図６に示すように、窓部１０１は、透明なガラス板１３７（ガラスに限らず、透明樹脂などの透明板材を採用してもよい。）が嵌め込まれる開口部であり、前面枠セット１４を内枠１２に対して閉じた状態において遊技盤３０の遊技領域３０ａが窓部１０１のガラス板１３７を通して外部から視認可能となっている。
【０１３３】
前面枠セット１４は、図９に示すように分解視すると、前後方向に二分され、前面側の前面枠体４１０と、裏面側の裏面枠体４３０とから構成されている。つまり、前面枠セット１４は、図９に示すように、内枠１２と対向する面とは反対側の面である前面側に位置する不透明な前面枠体４１０と、内枠１２と対向する面である裏面側に位置する不透明な裏面枠体４３０とを備えている。
【０１３４】
前面枠体４１０は、下皿ユニット１３と上皿ユニット２１とガラス枠部２３との独立した各ピースで構成されている。これらの下皿ユニット１３と上皿ユニット２１とガラス枠部２３とは、裏面枠体４３０を構成するベース枠４３２に対して個別に取り付けられるようになっている。これらの下皿ユニット１３、上皿ユニット２１およびガラス枠部２３が有色であることから、前面視した状態でその裏面側が見えない不透明な部材となっている。
【０１３５】
また、裏面枠体４３０を構成するベース枠４３２は、樹脂成形されたものであり、このベース枠４３２が有色であることから不透明となっている。つまり、前面枠体４１０および裏面枠体４３０は、着色された材料で形成されている。
【０１３６】
ベース枠４３２は、図９に示すように、遊技盤３０の遊技領域３０ａを視認するための視認用開口部４３１を備え、その裏面側には視認用開口部４３１を塞ぐガラスユニット４８０（図７参照）を備えている。
【０１３７】
ここで、前面枠セット１４の裏面側に設けられたガラスユニット４８０の構造などについて先に説明し、その後にガラス枠部２３について説明する。
【０１３８】
前面枠セット１４は、図７に示すように、その裏面側（内枠１２と対向する側）にガラスユニット４８０を備えている。具体的には、前面枠セット１４の裏面枠体４３０の基材であるベース枠４３２は、その裏面側にガラスユニット４８０が着脱自在となっている。
【０１３９】
ガラスユニット４８０は、図７に示すように、遊技盤３０の遊技領域３０ａ（図２参照）の前面を覆う二枚のガラス板１３７と、この二枚のガラス板１３７が前後方向に近設して並べて固着されるガラスフレーム４８２とを備えている。具体的には、ガラスフレーム４８２は、図７に示すように、ガラス板１３７の外周箇所を内接させるようにして当該ガラス板１３７が固着される内装用開口部４８４を有する枠状のフレーム部材としている。
【０１４０】
ガラスフレーム４８２は、図７に示すように、内装用開口部４８４の一方の開口側（例えば裏面側）および他方の開口側（例えば前面側）にガラス板１３７（図参照）がそれぞれ固着され、二重ガラス構造とするものである。また、ガラスフレーム４８２は、図７に示すように、両ガラス板１３７が所定の間隔を空けて配設される（つまり近設される）二重ガラス構造となるように、内装用開口部４８４から突出した部分であって両ガラス板１３７の間に挟まれる介装部４８２ａを備えている。
【０１４１】
さらに、裏面枠体４３０は、図８に示すように、正面視でその所定箇所に、遊技盤３０の遊技領域３０ａを視認するための視認用開口部４３１が形成され、裏面視でガラスフレーム４８２を取り付けるための窪み部４３３が形成されている。窪み部４３３は、図７に示すように、ガラスフレーム４８２の外周箇所を内接させるようにして当該ガラスフレーム４８２が取着される。なおこのとき、裏面枠体４３０の留具４５１を解除姿勢（図８に示すような水平姿勢）とし、かつ、留具４５２も解除姿勢（図８に示すような留棒が後退した姿勢）としている。そして、ガラスフレーム４８２の窪み部４３３への取着後に、図７に示すように、留具４５１，４５２を留め姿勢とすることで、ガラスユニット４８０が固定された状態となる。なお、逆の操作をすることでガラスユニット４８０を取り外すことができるのは言うまでもない。
【０１４２】
裏面枠体４３０は、図７，図８に示すように、その裏面側の所定箇所に、ガラスフレーム４８２が着脱自在で、かつ、ガラスフレーム４８２を窪み部４３３に取着させた嵌合状態（第１状態）と、ガラスフレーム４８２を窪み部４３３から離脱した離脱状態（第２状態）とに変位可能に当該ガラスフレーム４８２を支持する支持部４８６を備えている。具体的には、ガラスフレーム４８２は、図７に示すように、その裏面視で右側部の上下２箇所に、下向きに突出した円柱形状の支持ピン４８３がそれぞれ形成されている。裏面枠体４３０の支持部４８６は、図７に示すように、その裏面視で右側上下２箇所に設けられ、ガラスフレーム４８２の支持ピン４８３の挿入される挿入方向視で円形の支持孔がそれぞれ形成されている。つまり、開閉軸Ｊ２を軸心としてガラスユニット４８０が開閉可能となっている。
【０１４３】
次に、前面枠セット１４のガラス枠部２３について説明する。
【０１４４】
前面枠セット１４のガラス枠部２３は、図６，図９に示すように、窓部１０１の周縁のうちで左側箇所に、ＬＥＤ４２２等の発光部４２０を内蔵した第１電飾部４００を、窓部１０１の周縁のうちで右側箇所に、ＬＥＤ４２２等の発光部４２０を内蔵した第２電飾部４０２を、窓部１０１の周縁のうちで上側箇所には、ＬＥＤ４２２等の発光部４２０を内蔵した第３電飾部４０４を備えている。図９では、発光部４２０をベース枠４３２に取り付けた状態を図示している。
【０１４５】
第１電飾部４００、第２電飾部４０２および第３電飾部４０４は、図９に示すように、前面枠体４１０の装飾部材４１４と、この装飾部材４１４を照らすための発光部４２０とを備えている。つまり、発光部４２０は、図１１，図１２に示すように、所定箇所にＬＥＤ４２２（発光ダイオード）が実装されたランプ基板４２４を備えている。ランプ基板４２４は、裏面枠体４３０の正面視で窓部１０１の上側、右側および左側箇所に取り付けられている。ランプ基板４２４のＬＥＤ４２２が発光することで前面枠体４１０の装飾部材４１４が照らされ、つまり、の第１電飾部４００、第２電飾部４０２および第３電飾部４０４が照らされ、前面枠体４１０の装飾部材４１４（第１電飾部４００、第２電飾部４０２および第３電飾部４０４）が発光表示されるようになっている。なお実施例１では、ランプ基板４２４のＬＥＤ４２２として多色発光タイプのものを採用している。
【０１４６】
なお、この実施例１の前面枠セット１４では、第３電飾部４０４は、大当たりランプ（図示省略）を備えており、この大当たりランプが大当たり時に点灯や点滅を行うことにより、大当たり中であることを報知する。さらに、この第３電飾部４０４は、賞球払出し中に点灯する賞球ランプ（図示省略）と所定のエラー時に点灯するエラー表示ランプ（図示省略）とを備えている。
【０１４７】
なお、これらの大当たりランプ（図示省略）、賞球ランプ（図示省略）およびエラー表示ランプ（図示省略）を第３電飾部４０４ではなく第１電飾部４００または第２電飾部４０２に設けるようにしてもよいし、これらのランプを第１電飾部４００から第３電飾部４０４などに分散させて設けるようにしてもよいし、それ以外の種類のランプを第１電飾部４００から第３電飾部４０４などに設けるようにしてもよい。
【０１４８】
実施例１の前面枠セット１４は、図６，図９に示すように、正面視でその上部側の第３電飾部４０４から下部側の下皿ユニット１３（下皿１５や遊技球発射ハンドル１８など）までも含む単一の枠体となっているので、この前面枠セット１４を内枠１２に対して開状態とすると、下皿ユニット１３も含めて一体的に開かれた状態となる。なお、この前面枠セット１４を、下皿ユニット１３を除いたものとしてもよい。
【０１４９】
また、実施例１の前面枠セット１４は、図８に示すように、裏面視で左端側の縦方向に間隔を空けて３個の係止爪４０６を備えている。前面枠セット１４が内枠１２に閉じられる際に、これら３個の係止爪４０６が内枠１２の係止部（図示省略）に係止されることで、前面枠セット１４が内枠１２に閉状態に保持されるようになっている。また逆に、この係止爪４０６を係止部（図示省略）から解除することで、内枠１２の正面視での左端側を開閉軸Ｊ１として前面枠セット１４が内枠１２に対して開放可能となる。
【０１５０】
内枠１２は、図１１に示すように、前面枠セット１４を開閉可能に軸支する導電性の軸支部４６０を備えている。具体的には、軸支部４６０は、図１１に示すように、内枠１２の正面視で左端上部と左端下部との２箇所に設けられている。
【０１５１】
左端上部の軸支部４６０は、裏面枠体４３０の正面視で左端上部に設けられた導電性の上部金具４３４の高さ方向の軸部４３４ａが挿入される、平面視で略Ｕ字形状（その切欠き口の幅が切欠き内部の幅よりも小さくなっている形状）の切欠き部４６２を有する導電性の上部支持具４６４である。軸部４３４ａは、その上側に位置する直径の大きい円柱体と、それよりも直径の小さい下側に位置する円柱体とが同心軸で一体となった二段軸となっている。つまり、軸部４３４ａの下側円柱体（幅細軸）を上部支持具４６４の切欠き部４６２にその切欠き口から入れた後、裏面枠体４３０が僅かに下がって上部支持具４６４の切欠き部４６２の切欠き内部に軸部４３４ａの上側円柱体（幅広軸）が位置し、裏面枠体４３０を持ち上げなければ軸部４３４ａが切欠き部４６２から外れないようになっている。
【０１５２】
また、左端下部の軸支部４６０は、裏面枠体４３０の正面視で左端下部に設けられた導電性の下部金具４３６の水平方向に突き出た支持片４３８の円形の貫通孔４３８ａに挿入される、高さ方向に突出する平面視で円形の突出ピン４６６を有する導電性の下部支持具４６８である。
【０１５３】
図１５に示した裏面枠体４３０の上部金具４３４および下部金具４３６は、図１６に示すように、それに該当するネジ（図示省略）を緩めて外すことで、裏面枠体４３０から取り外すことができる。
【０１５４】
さらに、実施例１の前面枠セット１４は、図９に示すように、前面枠体４１０と裏面枠体４３０との間に補強部材としての板金４４０ｃ（例えば、補強用の板金４４０ｃ）を挟み込んで構成されている。具体的には、図１８に示すように、裏面枠体４３０の前面側（内枠１２と対向する面とは反対側）にその板金４４０ｃが取り付けられており、この裏面枠体４３０の前面側に前面枠体４１０を取り付けることで、前面枠体４１０と裏面枠体４３０との間に板金４４０ｃを挟み込む構成を実現している。また、図１８に示すように、補強部材としての板金４４０ａ，４４０ｂ，４４０ｄ（例えば、補強用の板金４４０ａ，４４０ｂ，４４０ｄ）を裏面枠体４３０の裏面側に備えている。
【０１５５】
ここで、前面枠体４１０と裏面枠体４３０との間に挟み込まれる補強用の板金４４０ｃと、裏面枠体４３０の裏面側に取り付けられる補強用の板金４４０ａ，４４０ｂ，４４０ｄについて説明する。
【０１５６】
図１３，図２０に示すように、ベース枠４３２は、その厚み方向を深さ方向とする細隙部４３９を前面側に備えている。この細隙部４３９は、ベース枠４３２の前後方向に貫通した横長のスリット孔としている。
【０１５７】
補強用の板金４４０ｃは、図１８，図１９に示すように、板状の本体板部４４１と、この本体板部４４１の端部の所定箇所を当該本体板部４４１の面方向に対して垂直あるいは略垂直に折り曲げた折り曲げ部４４２とを備えている。
【０１５８】
図１６，図２０に示すように、ベース枠４３２の細隙部４３９に補強用の板金４４０ｃの折り曲げ部４４２を挿入し、この挿入状態で図９に示すように補強用の板金４４０ｃが前面枠体４１０とベース枠４３２との間に挟み込まれている。
【０１５９】
このベース枠４３２の細隙部４３９は、図７，図８に示すように、ガラスユニット４８０がベース枠４３２の窪み部４３３に取り付けられた状態において、ガラスユニット４８０のガラスフレーム４８２がベース枠４３２の窪み部４３３に位置して隠れた格好となっていて、このベース枠４３２の裏面視で見えない状態となっており、板金４４０ｃの存在が知られないようになっている。また、図８ではベース枠４３２の細隙部４３９の一部を含む一点鎖線円箇所の部分拡大断面図を紙面中央に示しており、かかる紙面中央の部分拡大断面図にはガラスユニット４８０も図示している。図８に示すように、細長の不正具（図示省略）をベース枠４３２の前面側から補強用の板金４４０ｃに沿わせて細隙部４３９に挿入できたとしても、その不正具はガラスユニット４８０の前面側に達しているだけであり、未だ遊技盤３０の遊技領域３０ａに進入できていないことから、不正抑止効果がある。
【０１６０】
また、図９，図１８に示すように、裏面枠体４３０はその前面側に発光部４２０を備え、前面枠体４１０は発光部４２０により照らされる装飾部材４１４を備え、補強用の板金４４０ａ，４４０ｂ，４４０ｄは、装飾部材４１４の裏面側でかつ裏面枠体４３０の裏面側に位置している。
【０１６１】
具体的には、補強用の板金４４０ａ〜４４０ｄは導電性の部材であり、図１８，図１９に示すように、前面枠セット１４の正面視で当該前面枠セット１４のうちで窓部１０１を除く箇所で、かつ、窓部１０１の周囲にそれぞれ位置するように裏面枠体４３０に設けられている。また、これら板金４４０ａ〜４４０ｄが電気的に接続されている。
【０１６２】
図１８，図１９に示すように、４個の補強用の板金４４０ａ〜４４０ｄは、前面枠セット１４の正面視で当該前面枠セット１４の上部に位置する補強用の上板金４４０ａと、前面枠セット１４の右部に位置する補強用の右板金４４０ｂと、前面枠セット１４の下部に位置する補強用の下板金４４０ｃと、前面枠セット１４の左部に位置する補強用の左板金４４０ｄのことである。また、図１９に示すように、板金４４０ｂ〜４４０ｄは、その一部同士が直接的に接触した状態でネジ等の締結部品によりベース枠４３２に固定され、板金４４０ａ，４４０ｂも、その一部同士が直接的に接触した状態でネジ等の締結部品によりベース枠４３２に固定されていることから、これらの板金４４０ａ〜４４０ｄが相互に電気的に接続された状態となっている。
【０１６３】
さらに詳細に言えば、図１１に示すように、下板金４４０ｃの左端側の一部が下部金具４３６（導電性部材）に接触した状態でネジ等の締結部品で固定され、内枠１２の左端下部の軸支部４６０としての導電性の下部支持具４６８は、裏面枠体４３０の導電性の下部金具４３６を介して下板金４４０ｃ等に電気的に接続されており、内枠１２の下部支持具４６８が接地（アース）されている。
【０１６４】
また、上板金４４０ａおよび右板金４４０ｂは、図１８，図１９に示すように、断面視でコノ字形状である長手部材となっている。左板金４４０ｄは、図１８，図１９に示すように、断面視でコノ字形状の一端を逆方向に折り返したような凹凸形状である長手部材となっている。
【０１６５】
さらに、ベース枠４３２は、図１３，図１４に示すように、その裏面側で視認用開口部４３１の周辺の所定箇所に、遊技球を通過案内する通路部材４７０を備えている。もう少し具体的に言えば、この通路部材４７０は、ベース枠４３２での上皿１９および下皿１５が存する箇所の裏側に跨る一体部品により構成されており、払出装置３５８（図３参照）から払い出しされた遊技球を上皿１９および下皿１５に案内するものである。
【０１６６】
上皿１９は、払出装置３５８（図３参照）から払い出しされた遊技球が貯留可能で、且つ、その遊技球を遊技球発射装置３８に供給するためのものである。下皿１５は、払出装置３５８（図３参照）から払い出された遊技球のうちで上皿１９が満杯なためにこの上皿１９に供給できなかった遊技球やファール球などが貯留可能で、上皿１９とは別体でその下方位置に位置するものである。通路部材４７０は、払出装置３５８（図３参照）から払い出しされた遊技球を上皿１９に案内する上皿用通路部４７１と、上皿１９が満杯でこの上皿１９に供給できなかった遊技球などを下皿１５に案内する下皿用通路部４７３とを備えている。つまり、払出装置３５８（図３参照）から払い出しされた遊技球は、上皿１９に優先的に供給されるようになっており、上皿１９が満杯な場合には下皿１５の方に供給されるようになっている。
【０１６７】
上皿用通路部４７１は、払出装置３５８（図３参照）から払い出された遊技球を、図２５に一点鎖線で示すルートで上皿１９に案内するものである。また、下皿用通路部４７３は、払出装置３５８（図３参照）から払い出された遊技球を、図２５に破線で示すルートで下皿１５に案内するものである。
【０１６８】
さらに、通路部材４７０は、図１３，図１４，図２３，図２４に示すように、内枠１２の前面側と前面枠セット１４の裏面側との隙間に設けられる板状のスペーサ部４７５を備えている。また、このスペーサ部４７５は、図２１，図２２に示すように、ベース枠４３２の視認用開口部４３１と下皿用通路部４７３との間に位置するように当該ベース枠４３２に対して、ネジなどの締結部品により固定されている。
【０１６９】
ベース枠４３２は、図８，図２１，図２２に示すように、その裏面側で視認用開口部４３１の周辺の所定箇所（本実施例では視認用開口部４３１の周辺下方箇所）に、通路部材４７０を取り付けるための凹部４３２ａを備えている。通路部材４７０は、その取付面側の所定部分が凹部４３２ａに挿入された状態で取り付けられている。
【０１７０】
また、通路部材４７０は、図２１〜図２４に示すように、その外側を所定幅に亘って覆う金属製のカバー部材４７７を備えている。このカバー部材４７７は、ベース枠４３２の裏面視した状態において、通路部材４７０の下皿用通路部４７３の遊技球排出口４７４が重なる当該下皿用通路部４７３の外側を少なくとも覆う箇所に設けられている。なお、図２３，図２４には、ベース枠４３２の裏面視した状態において遊技球排出口４７４が重なるカバー部材４７７の箇所を二点鎖線で示している。
【０１７１】
具体的には、通路部材４７０は、図２１〜図２４に示すように、ベース枠４３２の裏面視した状態において、通路部材４７０の下皿用通路部４７３の遊技球排出口４７４が重なる当該下皿用通路部４７３の外側を覆う本壁部４７７ａと、下皿用通路部４７３の側壁部分を覆うように本壁部４７７ａから延出した側壁部４７７ｂとを一体的に備えたものとしている。
【０１７２】
また、通路部材４７０は、図２１〜図２４に示すように、その上皿用通路部４７１の排出口側の所定箇所（本実施例では左側面箇所）を覆う金属製のカバー部材４７９も備えている。
【０１７３】
さらに、通路部材４７０は、図１３，図２３に示すように、遊技球発射装置３８から遊技盤３０に向けて発射されて遊技領域３０ａに達せずに戻ってきたファール球を受ける受口部４９１と、この受口部４９１で受けた遊技球を下皿１５に案内するファール球用通路部４９３とを備えている。また、この受口部４９１は、ファール球の落下衝撃を吸収する衝撃吸収体４９５（例えば、弾性体）を備えている。
【０１７４】
ファール球用通路部４９３は、図１に示すように、そのファール球用排出口４９４が下皿１５に向けて開口されており、図２５に示す二点鎖線のルートで遊技球が案内されてファール球用排出口４９４から下皿１５に排出される。この衝撃吸収体４９５は、遊技球の衝突方向から見て矩形状で数ミリの厚みの板状部材であり、受口部４９１の底面箇所に貼り付けられている。落下してきたファール球の衝撃力が受口部４９１の底面箇所の衝撃吸収体４９５で吸収されることで、ファール球の跳ね返りが低減されているが、受口部４９１は、図１３，図２５に示すように、その跳ね返りファール球の外部放出を防ぐための防護壁を備えている。この防護壁により、ファール球が外部に跳び出すことが防止されている。
【０１７５】
なお、上述した内枠１２が本発明における本体部材に相当し、上述した前面枠セット１４が本発明における扉部材に相当し、上述した前面枠体４１０が本発明における前面側部材に相当し、上述した裏面枠体４３０およびベース枠４３２が本発明におけるベース部材に相当し、上述した窓部１０１およびガラスユニット４８０が本発明における視認窓部材に相当し、上述した板金４４０ｃ（下板金４４０ｃ）が本発明における補強部材に相当し、上述した上皿１９が本発明における上皿部材に相当し、上述した下皿１５が本発明における下皿部材に相当し、上述した発光部４２０が本発明における発光手段に相当し、上述した第１電飾部４００、第２電飾部４０２および第３電飾部４０４が本発明における電飾部材に相当し、上述した衝撃吸収体４９５が本発明における衝撃吸収部材に相当する。
【０１７６】
上述したように、本実施例１のパチンコ機１０によれば、遊技球が打ち込まれる遊技領域３０ａを前面側に形成する内枠１２と、遊技盤３０の前面側に位置し内枠１２に対して開閉自在な前面枠セット１４とを備え、前面枠セット１４は、遊技盤３０の遊技領域３０ａを視認するための視認用開口部４３１を有する不透明な裏面枠体４３０と、この裏面枠体４３０の前面側に取り付けられる前面枠体４１０と、裏面枠体４３０の視認用開口部４３１を塞ぎ且つ遊技領域３０ａが視認可能な窓部１０１およびガラスユニット４８０とを備えるとともに、前面枠体４１０と裏面枠体４３０との間に、前面枠体４１０と裏面枠体４３０とは異なる材質で形成された補強用の板金４４０ｃを挟んで構成されているので、前面枠セット１４を前面視した状態では裏面枠体４３０に取り付けられた前面枠体４１０の存在により、前面枠セット１４における補強用の板金４４０ｃの配置箇所を当然にわからないようになっているし、たとえ前面枠セット１４を開けて裏面視したとしても、裏面枠体４３０が不透明なものであるため、前面枠セット１４における補強用の板金４４０ｃの配置箇所をわからないようにできる。つまり、前面枠セット１４での補強用の板金４４０ｃの有無、補強用の板金４４０ｃを避けた位置やその有無についてもわからないようにできる。したがって、補強用の板金４４０ｃを避けた位置に不正な孔を空けることを困難とすることができ、前面枠セット１４を介しての不正行為を低減できる。
【０１７７】
さらに、ベース枠４３２は、その厚み方向を深さ方向とする細隙部４３９を前面側に備え、補強用の板金４４０ｃは、板状の本体板部４４１と、この本体板部４４１の端部の所定箇所を当該本体板部４４１の面方向に対して垂直あるいは略垂直に折り曲げた折り曲げ部４４２とを備え、ベース枠４３２の細隙部４３９に補強用の板金４４０ｃの折り曲げ部４４２を挿入した状態で当該補強用の板金４４０ｃが前面枠体４１０と裏面枠体４３０との間に挟み込まれているので、断面視で略Ｌ字状の補強部材とすることができ、さらに丈夫な補強構造としつつ、補強用の板金４４０ｃの折り曲げ部４４２をベース枠４３２の細隙部４３９に挿入した仮止め状態とすることができ、補強用の板金４４０ｃの取り付け作業性を向上させることができる。
【０１７８】
また、補強用の板金４４０ｃとしているので、前面枠セット１４の剛性を確保できるのみならず、この板金を溶かして孔を空けることは困難であり、前面枠セット１４を介しての不正行為を低減できる。
【０１７９】
また、複数個の補強用の板金４４０ａ〜４４０ｄは、前面枠セット１４の正面視で当該前面枠セット１４のうちで窓部１０１の周囲にそれぞれ位置するように設けられているので、前面枠セット１４の剛性を確保できるのみならず、この板金４４０ａ〜４４０ｄを溶かして孔を空けることは困難であり、前面枠セット１４を介しての不正行為を低減できる。また、これら板金４４０ａ〜４４０ｄが電気的に接続されているので、いずれかの板金４４０ａ〜４４０ｄを接地することで、前面枠セット１４の全体にわたって接地させることができる。
【０１８０】
また、前面枠セット１４の上部には補強用の上板金４４０ａを、前面枠セット１４の右部には補強用の右板金４４０ｂを、前面枠セット１４の下部には補強用の下板金４４０ｃを、前面枠セット１４の左部には補強用の左板金４４０ｄをそれぞれ備えており、これらの板金４４０ａ〜４４０ｄが前面枠体４１０と裏面枠体４３０との間に挟み込まれているので、前面枠セット１４の剛性を確保できるのみならず、この板金４４０ａ〜４４０ｄを溶かして孔を空けることは困難であり、前面枠セット１４を介しての不正行為を低減できる。また、これら板金４４０ａ〜４４０ｄが電気的に接続されているので、いずれかの板金４４０ａ〜４４０ｄに対して接地することで、前面枠セット１４の全体にわたって接地させることができる。
【０１８１】
また、内枠１２は、前面枠セット１４を開閉可能に軸支する導電性の軸支部４６０を備え、内枠１２の軸支部４６０は、複数個の板金４４０ａ〜４４０ｄのうちの少なくとも一つと電気的に接続されるとともに接地されているので、前面枠セット１４の全体にわたって接地させることができる。
【０１８２】
また、前面枠セット１４は、発光部４２０と、この発光部４２０により照らされる装飾部材４１４とからなる電飾部４００，４０２，４０４を備え、装飾部材４１４はベース枠４３２の前面側に位置し、補強用の板金４４０ａ，４４０ｂ，４４０ｄはベース枠４３２の裏面側に位置しているので、装飾部材４１４に溜まるノイズによる悪影響を低減できる。つまり、装飾部材４１４（特に金属製又は金属メッキを施した装飾部材など）に電荷が溜まることがあり、この電荷に起因して発生するノイズが前面枠セット１４から裏面側へ出射されることを導電性の板金４４０ａ，４４０ｂ，４４０ｄにより低減でき、内枠１２の遊技盤３０の各種遊技部品や、ひいては、遊技内容を制御する制御基板に対し、悪影響をもたらすことを低減できる。
【０１８３】
さらに、裏面枠体４３０での内枠１２と対向する側である裏面側で視認用開口部４３１の周辺の所定箇所に、遊技球を通過案内する通路部材４７０を備えているので、前面枠セット１４の前面枠体４１０のうちで裏面枠体４３０の通路部材４７０に対応する部分（例えば上皿１９）を不正行為者が手前側に非常に強く引っ張ろうとしても、この通路部材４７０の存在により前面枠セット１４が撓むことが低減され、さらに剛性を高めることができ、前面枠セット１４と遊技盤３０との間を不正に広げられることを低減でき、かかる部分を利用した不正行為を防止できる。
【０１８４】
また、前面枠体４１０は、払い出しされた遊技球が貯留可能な皿部材（上皿１９または下皿１５の少なくとも一方）を備え、通路部材４７０は、裏面枠体４３０での前記皿部材が存する箇所の裏側に備えられ、払い出しされた遊技球を前記皿部材に案内するものであり、補強用の板金４４０ｃは、前記皿部材と通路部材４７０との間に少なくとも位置しているので、前記皿部材を不正行為者が手前側に非常に強く引っ張ろうとしても、この通路部材４７０及び補強用の板金４４０ｃの存在により前面枠セット１４が撓むことが低減され、さらに剛性を高めることができ、前面枠セット１４と遊技盤３０との間を不正に広げられることを低減でき、かかる部分を利用した不正行為を防止できる。
【０１８５】
また、払い出しされた遊技球が貯留可能で且つその遊技球を遊技球発射装置３８に供給するための上皿１９と、払い出された遊技球が貯留可能で上皿１９とは別体でその下方位置に位置する下皿１５とを備え、通路部材４７０は、払い出しされた遊技球を下皿１５に案内する下皿用通路部４７３を備え、裏面枠体４３０での上皿１９および下皿１５が存する箇所の裏側に跨る一体部品により構成されているので、上皿１９などを不正行為者が手前側に非常に強く引っ張ろうとしても、この通路部材４７０の存在により前面枠セット１４が撓むことが低減され、さらに剛性を高めることができ、前面枠セット１４と遊技盤３０との間を不正に広げられることを低減でき、かかる部分を利用した不正行為を防止できる。
【０１８６】
また、通路部材４７０は、内枠１２の前面側と前面枠セット１４の裏面側との隙間に設けられる板状のスペーサ部４７５を備え、このスペーサ部４７５はベース枠４３２の視認用開口部４３１と下皿用通路部４７３との間に位置するように当該ベース枠４３２に取り付けられているので、上皿１９の裏面をスペーサ部４７５で覆うことができ、上皿１９を不正行為者が手前側に非常に強く引っ張ろうとしても、この通路部材４７０のスペーサ部４７５の存在により前面枠セット１４が撓まず、さらに剛性を高めることができ、前面枠セット１４と遊技盤３０との間を不正に広げられることが低減でき、かかる部分を利用した不正行為を防止できる。また、スペーサ部４７５によって、内枠１２の前面側と前面枠セット１４の裏面側との隙間を埋めることができ、隙間を利用した不正行為を防止できる。
【０１８７】
また、通路部材４７０は、その通路部の外側を所定幅に亘って覆う金属製のカバー部材４７７を備えているので、さらに剛性を高めることができ、皿部材（例えば上皿１９）を不正行為者が手前側に非常に強く引っ張ろうとしても、この金属製のカバー部材４７７の存在により前面枠セット１４が撓まず、前面枠セット１４と遊技盤３０との間を不正に広げた部分を生じさせることが低減でき、かかる部分を利用した不正行為を防止できる。また、金属製のカバー部材４７７で覆われているため、その被覆箇所に対して不正な孔が空けられることも低減できる。
【０１８８】
また、カバー部材４７７は、ベース枠４３２の裏面視した状態において、通路部材４７０の下皿用通路部４７３の遊技球排出口４７４が見えないように当該下皿用通路部４７３の外側を覆う箇所に設けられているので、前面枠セット１４の前面側から下皿１５の排出口１６（正確に言えば、下皿用通路部４７３の遊技球排出口４７４）に不正具を挿入してかかる下皿用通路部４７３に不正孔を空けようとしてもこの下皿用通路部４７３の外側を覆う金属性のカバー部材４７７でそれを防ぐことができる。
【０１８９】
また、通路部材４７０は、遊技球発射装置３８から遊技盤３０に向けて発射されて遊技領域３０ａに達せずに戻ってきたファール球を受ける受口部４９１と、この受口部４９１で受けた遊技球を下皿１５に案内するファール球用通路部４９３とを備え、受口部４９１はファール球の落下衝撃を吸収する衝撃吸収部材を備えているので、ファール球の落下衝突により通路部材４７０が破壊あるいは損傷を受けることを低減でき、ファール球の受口部４９１への衝突音も低減できる。
【０１９０】
また、ベース枠４３２は、その裏面側で視認用開口部４３１の周辺の所定箇所に凹部４３２ａを備え、通路部材４７０は、その取付面側の所定部分が凹部４３２ａに挿入された状態で取り付けられているので、通路部材４７０とベース枠４３２との隙間に不正具を挿入しようとする不正行為を低減できる。つまり、ベース枠４３２と通路部材４７０との境界部分をベース枠４３２の凹部４３２ａ内に位置させることができ、かかる境界部分に不正具を挿入することを困難にでき、不正行為の抑止効果がある。
【０１９１】
この発明は、上記実施形態に限られることはなく、下記のように変形実施することができる。
【０１９２】
（１）上述した実施例では、ベース枠４３２の細隙部４３９は、このベース枠４３２の前後方向に貫通したスリット孔としているが、ベース枠４３２の前面側のみ開放された細隙溝としてもよい。この細隙溝とした場合には、ベース枠４３２の裏面視でその細隙溝が見えないことから、細隙溝の存在や板金４４０ｃの存在がわからないようにできる。
【０１９３】
（２）上述した実施例では、通路部材４７０は、その取付面側の所定部分（取付面側でスペーサ部４７５以外の部分）がベース枠４３２の凹部４３２ａに挿入された状態で取り付けられているが、このスペーサ部４７５も含めてベース枠４３２の凹部４３２ａに挿入された状態で取り付けられるようにしてもよい。
【０１９４】
（３）上述した実施例では、通路部材４７０は、図２１，図２４に示すように、その上皿用通路部４７１の排出口側の左側面箇所を覆う金属製のカバー部材４７９を備えているが、このカバー部材４７９を、ベース枠４３２の裏面視した状態において上皿用通路部４７１の排出口が見えないように当該上皿用通路部４７１の外側を覆う箇所に設けるようにしてもよい。
【０１９５】
（４）上述した実施例では、本体部材（内枠１２）は、扉部材（前面枠セット１４）を開閉可能に軸支する導電性の軸支部４６０を備え、この軸支部４６０は、複数個の板金４４０ａ〜４４０ｄのうちの少なくとも一つと電気的に接続されるとともに接地されている構成を採用しているが、以下のような構成を採用してもよい。
【０１９６】
例えば、本体部材（内枠１２）は、扉部材（前面枠セット１４）が当該内枠１２に対して閉状態となると、少なくとも一つの板金４４０ａ〜４４０ｄに接触して電気的に接続される図示省略の接続部（接触部）を備え、この接続部は接地されている構成が挙げられる。この場合には、本体部材（内枠１２）の接続部（接触部）は、扉部材（前面枠セット１４）が当該内枠１２に対して閉状態となると、少なくとも一つの板金４４０ａ〜４４０ｄに接触して電気的に接続され、この接続部は接地されているので、扉部材（前面枠セット１４）の全体にわたって接地させることができる。
【０１９７】
（５）上述した実施例の装飾部材４１４を、発光部４２０により照らされ金属製又は金属メッキを施したものとし、補強部材（板金４４０ａ〜４４０ｄ）はこの装飾部材４１４に電気的に接続されているという構成を採用した場合には、以下の効果がある。
【０１９８】
つまり、金属製又は金属メッキを施した装飾部材４１４に電荷が溜まることがあり、この電荷がノイズなどを発生させる要因となり、扉部材（前面枠セット１４）に取り付けられる電気部品（例えば、装飾部材４１４を照らすランプ基板４２４など）、ひいては、遊技内容を制御する制御基板に対し、悪影響をもたらすことになるという問題に対して、補強部材は装飾部材４１４に電気的に接続されているので、扉部材（前面枠セット１４）内の補強部材つまり前面側部材（前面枠体４１０）とベース部材（裏面枠体４３０）とに挟まれた補強部材（板金４４０ａ〜４４０ｄ）によって、装飾部材４１４が接地されることになり、装飾部材４１４に電荷が溜まることがない。その結果、扉部材（前面枠セット１４）に取り付けられる各種電気部品（例えば、装飾部材４１４を照らすランプ基板４２４など）や遊技内容を制御する制御基板に対して悪影響をもたらすことがなく、装飾部材４１４がノイズなどの電気的不具合を生じさせることがない。
【０１９９】
（６）上述した実施例では、板金４４０ｃのみを前面側部材（前面枠体４１０）とベース部材（裏面枠体４３０）とに挟み込んだものとしているが、この板金４４０ｃ以外に板金４４０ａ，４４０ｂ，４４０ｄのうちの少なくとも一つを前面側部材（前面枠体４１０）とベース部材（裏面枠体４３０）とに挟み込んだものとしてもよい。
【０２００】
（７）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０２０１】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０２０２】
以上のように、この発明は、パチンコ機やスロットマシン等の遊技機に適している。
【符号の説明】
【０２０３】
１２  …内枠（本体部材）
１４  …前面枠セット（扉部材）
１５  …下皿（下皿部材）
１９  …上皿（上皿部材）
１０１  …窓部（視認窓部材）
４００  …第１電飾部（電飾部材）
４０２  …第２電飾部（電飾部材）
４０４  …第３電飾部（電飾部材）
４１０  …前面枠体（前面側部材）
４２０  …発光部（発光手段）
４３０  …裏面枠体（ベース部材）
４３２  …ベース枠（ベース部材）
４４０ａ〜４４０ｄ  …板金（補強部材）
４４２  …折り曲げ部
４８０  …ガラスユニット（視認窓部材）
４９５  …衝撃吸収体（衝撃吸収部材）
【図１】
2018086399.tif 000003
【図２】
2018086399.tif 000004
【図３】
2018086399.tif 000005
【図４】
2018086399.tif 000006
【図５】
2018086399.tif 000007
【図６】
2018086399.tif 000008
【図７】
2018086399.tif 000009
【図８】
2018086399.tif 000010
【図９】
2018086399.tif 000011
【図１０】
2018086399.tif 000012
【図１１】
2018086399.tif 000013
【図１２】
2018086399.tif 000014
【図１３】
2018086399.tif 000015
【図１４】
2018086399.tif 000016
【図１５】
2018086399.tif 000017
【図１６】
2018086399.tif 000018
【図１７】
2018086399.tif 000019
【図１８】
2018086399.tif 000020
【図１９】
2018086399.tif 000021
【図２０】
2018086399.tif 000022
【図２１】
2018086399.tif 000023
【図２２】
2018086399.tif 000024
【図２３】
2018086399.tif 000025
【図２４】
2018086399.tif 000026
【図２５】
2018086399.tif 000027